(57)【要約】【課題】土作業体の作業深さを容易に変更できる農作業機を提供する。【解決手段】農作業機１は、トラクタ２の後部の作業機昇降支持部３に連結する作業機本体11と、この作業機本体11に対して上下動可能で地表面Ｇ下に挿入する土作業体12とを備える。作業機本体11は、ピン当接部22およびピン挿入孔部を有する。土作業体12は、高さ位置の異なる複数の第１孔部28およびこれら複数の第１孔部28に対応する複数の第２孔部29を有する。また、農作業機１は、第１孔部28に挿入しピン当接部22との当接により土作業体12の作業機本体11に対する下動を規制する第１ピン31を備える。さらに、農作業機１は、互いに対向する第２孔部29およびピン挿入孔部に挿入し土作業体12の作業機本体11に対する上下動を規制する第２ピン32を備える。【選択図】図１
2008271928.tif 000002
【特許請求の範囲】
【請求項１】
ピン当接部およびピン挿入孔部を有し、走行車の作業機昇降支持部に連結される作業機本体と、
高さ位置の異なる複数の第１孔部およびこれら複数の第１孔部に対応する複数の第２孔部を有し、前記作業機本体に対して上下動可能に設けられ、少なくとも一部が地表面下に挿入された状態で土作業をする土作業体と、
前記第１孔部に挿脱可能に挿入され、前記ピン当接部との当接により前記土作業体の前記作業機本体に対する下動を規制する第１ピンと、
互いに対向する前記第２孔部および前記ピン挿入孔部に挿脱可能に挿入され、前記土作業体の前記作業機本体に対する上下動を規制する第２ピンとを備え、
前記土作業体の作業深さを一の作業深さから他の作業深さへ変更する場合には、前記第２ピンを互いに対向する前記一の作業深さに応じた前記第２孔部および前記ピン挿入孔部から取り外し、
この第２ピンの取り外し後、前記作業機昇降支持部の作動によって前記作業機本体を下降させることにより前記土作業体の下端部を地表面に当てて前記土作業体を前記作業機本体に対して上動させてから、前記第１ピンを前記一の作業深さに応じた前記第１孔部から前記他の作業深さに応じた前記第１孔部に付け替え、
次いで前記作業機昇降支持部の作動によって前記作業機本体を上昇させることにより前記第１ピンが前記ピン当接部に当接するまで前記土作業体を前記作業機本体に対して下動させてから、前記第２ピンを互いに対向する前記他の作業深さに応じた前記第２孔部および前記ピン挿入孔部に挿入する
ことを特徴とする農作業機。
【請求項２】
作業機本体に着脱可能に取り付けられ、土作業体の後方で土作業をする追加土作業体を備え、
前記土作業体は、第１ピンが挿脱可能に挿入される第３孔部を有し、
前記第３孔部に前記第１ピンが挿入されるとともにこの第１ピンとピン当接部とが互いに当接し、かつ前記土作業体の全体が地表面上に位置した状態時に、前記追加土作業体の前記作業機本体に対する着脱が行われる
ことを特徴とする請求項１記載の農作業機。
【請求項３】
土作業体は、上下方向長手状のナイフと、このナイフの下端部に設けられたチゼルとを有する
ことを特徴とする請求項１または２記載の農作業機。
【発明の詳細な説明】
【技術分野】
【０００１】
本発明は、土作業体の作業深さを容易に変更できる農作業機に関するものである。
【背景技術】
【０００２】
従来、走行車であるトラクタの後部の作業機昇降支持部（３点リンクヒッチ部）に連結して使用する農作業機として、例えば下記の特許文献１に記載された部分深耕機（サブソイラ作業機）が知られている。
【０００３】
この特許文献１に記載された部分深耕機は、ピン挿入孔部を有しトラクタの作業機昇降支持部に連結される作業機本体と、高さ位置の異なる上下方向に並んだ複数の孔部を上端側に有し作業機本体に対して上下動可能に設けられ下端側が地表面下に挿入された状態で土作業である土破砕作業をする土作業体と、互いに対向する孔部およびピン挿入孔部に挿脱可能に挿入され土作業体の作業機本体に対する上下動を規制するロックピンとを備えている。
【０００４】
そして、例えば土作業体の作業深さを一の作業深さからこの一の作業深さより浅い他の作業深さへ変更する際には、互いに対向する一の作業深さに応じた孔部およびピン挿入孔部からピンを取り外した後、作業者２〜３人がかりで土作業体を作業機本体に対して所望の高さまで上動させ、その状態で、互いに対向する他の作業深さに応じた孔部およびピン挿入孔部にピンを挿入するようにしている。
【特許文献１】特開平９−３２２６０１号公報（図３等）
【発明の開示】
【発明が解決しようとする課題】
【０００５】
しかしながら、上記従来の農作業機では、作業者２〜３人がかりで、比較的重い土作業体を作業機本体に対して所望の高さまで持ち上げる必要があり、土作業体の作業深さの変更に手間がかかる。
【０００６】
本発明は、このような点に鑑みなされたもので、土作業体の作業深さを容易に変更できる農作業機を提供することを目的とする。
【課題を解決するための手段】
【０００７】
請求項１記載の農作業機は、ピン当接部およびピン挿入孔部を有し、走行車の作業機昇降支持部に連結される作業機本体と、高さ位置の異なる複数の第１孔部およびこれら複数の第１孔部に対応する複数の第２孔部を有し、前記作業機本体に対して上下動可能に設けられ、少なくとも一部が地表面下に挿入された状態で土作業をする土作業体と、前記第１孔部に挿脱可能に挿入され、前記ピン当接部との当接により前記土作業体の前記作業機本体に対する下動を規制する第１ピンと、互いに対向する前記第２孔部および前記ピン挿入孔部に挿脱可能に挿入され、前記土作業体の前記作業機本体に対する上下動を規制する第２ピンとを備え、前記土作業体の作業深さを一の作業深さから他の作業深さへ変更する場合には、前記第２ピンを互いに対向する前記一の作業深さに応じた前記第２孔部および前記ピン挿入孔部から取り外し、この第２ピンの取り外し後、前記作業機昇降支持部の作動によって前記作業機本体を下降させることにより前記土作業体の下端部を地表面に当てて前記土作業体を前記作業機本体に対して上動させてから、前記第１ピンを前記一の作業深さに応じた前記第１孔部から前記他の作業深さに応じた前記第１孔部に付け替え、次いで前記作業機昇降支持部の作動によって前記作業機本体を上昇させることにより前記第１ピンが前記ピン当接部に当接するまで前記土作業体を前記作業機本体に対して下動させてから、前記第２ピンを互いに対向する前記他の作業深さに応じた前記第２孔部および前記ピン挿入孔部に挿入するものである。
【０００８】
請求項２記載の農作業機は、請求項１記載の農作業機において、作業機本体に着脱可能に取り付けられ、土作業体の後方で土作業をする追加土作業体を備え、前記土作業体は、第１ピンが挿脱可能に挿入される第３孔部を有し、前記第３孔部に前記第１ピンが挿入されるとともにこの第１ピンとピン当接部とが互いに当接し、かつ前記土作業体の全体が地表面上に位置した状態時に、前記追加土作業体の前記作業機本体に対する着脱が行われるものである。
【０００９】
請求項３記載の農作業機は、請求項１または２記載の農作業機において、土作業体は、上下方向長手状のナイフと、このナイフの下端部に設けられたチゼルとを有するものである。
【発明の効果】
【００１０】
請求項１に係る発明によれば、比較的重い土作業体を作業機本体に対して人力で持ち上げる必要がなく、土作業体の作業深さを容易に変更できる。
【００１１】
請求項２に係る発明によれば、土作業体の作業深さを容易に変更できるばかりでなく、追加土作業体を作業機本体に対して容易に着脱できる。
【００１２】
請求項３に係る発明によれば、ナイフおよびチゼルを有する比較的重い土作業体の作業深さを容易に変更できる。
【発明を実施するための最良の形態】
【００１３】
本発明の農作業機の一実施の形態を図１ないし図６を参照して説明する。
【００１４】
図１ないし図６において、１は農作業機で、この農作業機１は、走行車であるトラクタ２の後部の作業機昇降支持部３に連結されトラクタ２の前進走行により前方に移動しながら例えば圃場の土を破砕するサブソイラ等の部分深耕機である。
【００１５】
トラクタ２は、車体であるトラクタ本体（図示せず）を備えている。トラクタ本体の前後部における左右両側には、走行輪である車輪５がそれぞれ回転可能に設けられている。トラクタ本体の後端部には、農作業機１を昇降可能に支持する３点リンクヒッチ部等の作業機昇降支持部３が設けられている。作業機昇降支持部３は、図示しない油圧手段によって前端側の回動支点６，７を中心として上下回動する上部リンク８および左右の下部リンク９を有している。
【００１６】
農作業機１は、トラクタ２の後部の作業機昇降支持部３に脱着可能に連結された作業機本体11と、作業機本体11にこの作業機本体11に対して上下動可能に設けられ、少なくとも一部、すなわち例えば下端側が地表面Ｇ下に挿入され、圃場の状態に応じて所望の作業深さに設定された状態で土作業である土破砕作業をする上下方向長手状の土作業体12とを備えている。
【００１７】
作業機本体11は、例えば角パイプ等にて構成された左右方向長手状の主フレーム部14を有している。主フレーム部14には、トラクタ２の作業機昇降支持部３に連結された走行車連結部である３点連結部15が設けられている。３点連結部15は、上部リンク８に回動可能に連結された上部連結部16および下部リンク９に回動可能に連結された左右の下部連結部17を有している。また、主フレーム部14には、土作業体12を上下動可能に保持する保持部18が設けられている。保持部18は、上下方向に向って開口する開口部19を有し、この開口部19に土作業体12の上端側がこの開口部19に沿って上下方向にスライド可能に嵌挿されている。また、保持部18の略中央部には、左右方向に向って開口するピン挿入孔部21が形成されている（図２等参照）。さらに、保持部18の上面部には、ピン当接部22が形成されている。
【００１８】
土作業体12は、上下方向長手状のシャンク等のナイフ25と、このナイフ25の下端部に設けられ圃場の土中である地表面Ｇ下を移動しながら土破砕作業をする破砕爪等のチゼル26とを有している。ナイフ25は、農作業機１の左右方向を厚さ方向とする板形状で、作業機本体11の保持部18の開口部19にこの開口部19に沿って上下方向にスライド可能に嵌挿されている。
【００１９】
そして、ナイフ25の上部後側には、左右方向に向って開口しそれぞれ高さ位置の異なる複数、例えば５つの第１孔部28が互いに等間隔をおいて上下方向に並んで形成されている。また、ナイフ25の上部前側には、左右方向に向って開口し複数の第１孔部28に対応してそれぞれ高さ位置の異なる複数、例えば５つの第２孔部29が互いに等間隔をおいて上下方向に並んで形成されている。これら５つの第２孔部29は、対応する５つの第１孔部28に対して下方にずれて配置され、例えば１番上の第２孔部29と上から４番目の第１孔部28とが略同じ高さ位置に位置する。
【００２０】
また、農作業機１は、土作業体12のナイフ25の第１孔部28に挿脱可能に挿入され作業機本体11のピン当接部22との当接により土作業体12の作業機本体11に対する下動を規制するストッパピン等の第１ピン31と、互いに対向する第２孔部29およびピン挿入孔部21に挿脱可能に挿入され土作業体12の作業機本体11に対する上下動を規制する止めピン等の第２ピン32とを備えている。そして、これら第１ピン31および第２ピン32の挿入位置の変更により土作業体12の作業機本体11に対する上下位置が調整可能で、土作業体12の作業深さを圃場の状態等に応じて変更可能となっている。
【００２１】
次に、土作業体12の作業深さを図１に示す一の作業深さＡからこの一の作業深さＡより浅い図６に示す他の作業深さＢへ変更する場合について図面を参照して説明する。
【００２２】
作業者は、まず、図１に示す一の作業深さＡの作業状態から、トラクタ２の作業機昇降支持部３の作動によって作業機本体11を上昇させることにより土作業体12の全体を地表面Ｇ、すなわち例えば圃場面上に位置させ、この状態で第２ピン32を互いに対向する一の作業深さＡに応じた第２孔部29およびピン挿入孔部21から取り外す。この状態を図２に示し、この状態では、第１ピン31にて土作業体12の作業機本体11に対する下動が規制されているが、第２ピン32が取り外されているため、土作業体12は作業機本体11に対して上動可能である。
【００２３】
なお、土作業体12の全体が地表面Ｇ上に位置すると、土作業体12は第１ピン31にて支持され、第２ピン32には負荷がかからないため、第２ピン32を容易に取り外すことが可能である。
【００２４】
次いで、作業者は、図３に示すように、第２ピン32を取り外した状態のまま、トラクタ２の作業機昇降支持部３の作動によって作業機本体11を下降させることにより土作業体12の下端部のチゼル26を地表面Ｇに当てて土作業体12を作業機本体11に対して上動させてから、第１ピン31を一の作業深さＡに応じた第１孔部28から他の作業深さＢに応じた第１孔部28に付け替える。すなわち、トラクタ２の作業機昇降支持部３で作業機本体11を下降させると、土作業体12は、地表面Ｇとの当接により地表面Ｇに押されて作業機本体11に対して上動し、５つの第１孔部28のすべてが作業機本体11の保持部18より上方に位置した状態となる。この状態で、作業者は、第１ピン31を一の作業深さＡに応じた第１孔部28から取り外し、この取り外した第１ピン31を今度は他の作業深さＢに応じた第１孔部28に挿入する。
【００２５】
次いで、作業者は、図４に示すように、トラクタ２の作業機昇降支持部３の作動によって作業機本体11を上昇させることにより他の作業深さＢに応じた第１孔部28に挿入された第１ピン31が保持部18のピン当接部22に当接するまで土作業体12を作業機本体11に対して下動させ、更なる作業機本体11の上昇により第１ピン31をピン当接部22で押し上げて土作業体12の全体を地表面Ｇから浮かせて地表面Ｇ上に位置させてから、図５に示すように第２ピン32を互いに対向する他の作業深さＢに応じた第２孔部29およびピン挿入孔部21に挿入する。
【００２６】
すなわち、トラクタ２の作業機昇降支持部３で作業機本体11を上昇させると、土作業体12が作業機本体11に対して下動し、他の作業深さＢに応じた第１孔部28に挿入された第１ピン31が、作業機本体11の保持部18のピン当接部22に当接する。第１ピン31とピン当接部22とが互いに当接すると、他の作業深さＢに応じた第２孔部29とピン挿入孔部21とが互いに対向する。そして、これら互いに対向する他の作業深さＢに応じた第２孔部29およびピン挿入孔部21に対して第２ピン32を挿入すると、この第２ピン32にて土作業体12の作業機本体11に対する上下動が規制される。
【００２７】
そして、図６に示すように、トラクタ２の作業機昇降支持部３で作業機本体11を下降させてから、トラクタ２を前進走行させると、土作業体12は、他の作業深さＢの作業状態となって土破砕作業を行う。
【００２８】
このように農作業機１によれば、従来とは異なり作業者が比較的重い土作業体12を作業機本体11に対して人力で持ち上げる必要がなく、土作業体12の作業深さを容易に変更でき、作業者の負担の軽減を図ることができる。
【００２９】
また、第１ピン31とピン当接部22との当接により土作業体12の作業機本体11に対する下動が規制されるため、第２ピン32を誤って抜いても土作業体12が落下せず、安全性に優れている。
【００３０】
次に、本発明の農作業機の他の実施の形態を図７ないし図１３を参照して説明する。
【００３１】
図７ないし図１３に示す農作業機１は、土作業体12の後方で土作業をするロータリ等の追加土作業体41を作業機本体11に着脱可能に取り付けることができる構成となっている。なお、上記一の実施の形態と同一の構成部分については同一符号を付してその説明を省略する。
【００３２】
図７等に示すように、作業機本体11の上部連結部16には１本のトップリンク42の前端部が回動可能に連結され、作業機本体11の左右の下部連結部17には左右のロワーアーム43の前端部が回動可能にそれぞれ連結されている。
【００３３】
そして、図１１等に示すように、作業機本体11のトップリンク42の後端部は、追加土作業体41の上部連結部44に回動可能に連結され、作業機本体11の左右のロワーアーム43の後端部に形成され上方に向って凹状をなすフック部43aは、追加土作業体41の下部連結部45に回動可能にそれぞれ連結される。なお、ロワーアーム43の後端部の高さ位置は、作業機本体11に形成された複数、例えば３つの孔部48に対する高さ調整用ピン49の挿入位置の変更により調整可能となっている。
【００３４】
また、図７等に示すように、作業機本体11には、鎮圧輪46が着脱可能に取り付けられている。この鎮圧輪46は、アーム部46aと、このアーム部46aの下端部に回転可能に設けられた回転部46bとにて構成されている。
【００３５】
さらに、土作業体12のナイフ25の上下方向略中央部後側には、追加土作業体41の作業機本体11に対する着脱に際して第１ピン31が挿脱可能に挿入される第３孔部50が形成されている。そして、第３孔部50に第１ピン31が挿入されるとともにこの第１ピン31とピン当接部22とが互いに当接し、かつ土作業体12の全体が地表面Ｇ上に位置した状態で、追加土作業体41の作業機本体11に対する着脱が行われる（図１０参照）。
【００３６】
一方、追加土作業体41は、図１０等に示すように、作業機本体11に着脱可能に取り付けられる本体51、本体51に着脱可能に取り付けられたゲージ輪52、本体51のチェーンケース部55およびブラケット部（図示せず）間に回転可能に設けられ耕耘作業をする耕耘体53、本体51のカバー部（図示せず）の後端部に上下回動可能に設けられ整地作業をする整地体54等を有している。
【００３７】
次に、作業機本体11に追加土作業体41を取り付ける場合について図面を参照して説明する。
【００３８】
作業者は、まず、図７に示す土作業体12のみによる単一の作業状態から、トラクタ２の作業機昇降支持部３の作動によって作業機本体11を上昇させることにより土作業体12の全体を地表面Ｇ上に位置させ、この状態で第２ピン32を互いに対向する第２孔部29およびピン挿入孔部21から取り外す。この状態を図８に示し、この状態では、第１ピン31にて土作業体12の作業機本体11に対する下動が規制されているが、第２ピン32が取り外されているため、土作業体12は作業機本体11に対して上動可能である。なお、土作業体12の全体が地表面Ｇ上に位置すると、土作業体12は第１ピン31にて支持され、第２ピン32には負荷がかからないため、第２ピン32を容易に取り外すことが可能である。
【００３９】
次いで、作業者は、図９に示すように、第２ピン32を取り外した状態のまま、トラクタ２の作業機昇降支持部３の作動によって作業機本体11を下降させることにより土作業体12の下端部のチゼル26を地表面Ｇに当てて土作業体12を第３孔部50に第１ピン31を挿入可能な位置まで作業機本体11に対して上動させてから、第１ピン31を第１孔部28から第３孔部50に付け替え、また鎮圧輪46を作業機本体11から取り外す。
【００４０】
すなわち、トラクタ２の作業機昇降支持部３で作業機本体11を下降させると、土作業体12は、地表面Ｇとの当接により地表面Ｇに押されて作業機本体11に対して上動し、５つの第１孔部28と第３孔部50とが作業機本体11の保持部18より上方に位置した状態となる。この状態で、作業者は、第１ピン31を第１孔部28から取り外し、この取り外した第１ピン31を今度は第３孔部50に挿入する。
【００４１】
次いで、作業者は、トラクタ２の作業機昇降支持部３の作動によって作業機本体11を若干上昇させることにより第３孔部50に挿入された第１ピン31が保持部18のピン当接部22に当接するまで土作業体12を作業機本体11に対して下動させ、更なる作業機本体11の上昇により第１ピン31をピン当接部22で押し上げ、土作業体12の全体を地表面Ｇから浮かせて地表面Ｇ上に位置させ、また高さ調整用ピン49を孔部48から取り外す。
【００４２】
この状態を図１０に示し、この状態でトラクタ２をバック走行させると、作業機本体11が追加土作業体41に向って移動し、作業機本体11と追加土作業体41とが接近した状態で追加土作業体41が作業機本体11に対して取り付けられる。すなわち、作業者は、トラクタ２のバック走行で作業機本体11を追加土作業体41に接近移動させた後、作業機本体11のトップリンク42の後端部を追加土作業体41の上部連結部44に連結し、作業機本体11の左右のロワーアーム43の後端部のフック部43aを追加土作業体41の下部連結部45に連結する。
【００４３】
次いで、作業者は、図１１に示すように、トラクタ２の作業機昇降支持部３の作動によって作業機本体11を若干下降させることにより土作業体12の下端部のチゼル26を地表面Ｇに当てて土作業体12を作業機本体11に対して上動させ、この状態で、第１ピン31を第３孔部50から選択した一の第１孔部28に付け替えるとともに、高さ調整用ピン49を選択した一の孔部48に挿入する。
【００４４】
次いで、作業者は、図１２に示すように、トラクタ２の作業機昇降支持部３の作動によって作業機本体11を上昇させることにより、第１ピン31が保持部18のピン当接部22に当接するまで土作業体12を作業機本体11に対して下動させ、更なる作業機本体11の上昇により第１ピン31をピン当接部22で押し上げて土作業体12の全体を地表面Ｇから浮かせて地表面Ｇ上に位置させてから、第２ピン32を互いに対向する第２孔部29およびピン挿入孔部21に挿入し、またゲージ輪52を本体51から取り外す。すなわち、トラクタ２の作業機昇降支持部３で作業機本体11を上昇させると、土作業体12が作業機本体11に対して下動し、第１孔部28に挿入された第１ピン31が作業機本体11の保持部18のピン当接部22に当接する。第１ピン31とピン当接部22とが互いに当接すると、その第１孔部28に対応する作業深さに応じた第２孔部29とピン挿入孔部21とが互いに対向する。そして、これら互いに対向する第２孔部29およびピン挿入孔部21に対して第２ピン32を挿入すると、この第２ピン32にて土作業体12の作業機本体11に対する上下動が規制される。
【００４５】
そして、図１３に示すように、トラクタ２の作業機昇降支持部３で作業機本体11を下降させてから、トラクタ２を前進走行させると、土作業体12にて土破砕作業が行われるとともに、追加土作業体41にて耕耘整地作業が行われる。
【００４６】
なお、追加土作業体41を作業機本体11から取り外す場合は、上記追加土作業体41を作業機本体11に取り付ける場合の手順の逆を行えばよい。また、土作業体12のみによる単一の作業状態時において、土作業体12の作業深さの変更は、上記一の実施の形態と同じ手順で行うことができる。
【００４７】
そして、この農作業機１によれば、土作業体12の作業深さを容易に変更できるばかりでなく、追加土作業体41を作業機本体11に対して容易に着脱でき、作業者の負担をより一層軽減できるとともに、作業効率が向上する。
【００４８】
なお、上記いずれの実施の形態においても、土作業体12は、圃場の土を破砕して持ち上げて反転放てきするものや、圃場の土中に孔を形成する弾丸暗きょ穿孔機等でもよく、また追加土作業体41の種類も任意である。
【００４９】
また、土作業体12が有する第１孔部28および第２孔部29の数は、５つには限定されず、６つ以上でもよい。
【図面の簡単な説明】
【００５０】
【図１】本発明の一実施の形態に係る農作業機の一の作業深さに設定された状態の側面図である。
【図２】同上農作業機の作業深さを変更する際の手順を示す説明図である。
【図３】図２に続く説明図である。
【図４】図３に続く説明図である。
【図５】図４に続く説明図である。
【図６】同上農作業機の他の作業深さに設定された状態の側面図である。
【図７】本発明の他の実施の形態に係る農作業機の土作業体のみで作業をする状態の側面図である。
【図８】同上農作業機の作業機本体に追加土作業体を取り付ける際の手順を示す説明図である。
【図９】図８に続く説明図である。
【図１０】図９に続く説明図である。
【図１１】図１０に続く説明図である。
【図１２】図１１に続く説明図である。
【図１３】同上農作業機の土作業体および追加土作業体で作業をする状態の側面図である。
【符号の説明】
【００５１】
１    農作業機
２    走行車であるトラクタ
３    作業機昇降支持部
11    作業機本体
12    土作業体
21    ピン挿入孔部
22    ピン当接部
25    ナイフ
26    チゼル
28    第１孔部
29    第２孔部
31    第１ピン
32    第２ピン
41    追加土作業体
50    第３孔部
Ａ    一の作業深さ
Ｂ    他の作業深さ
Ｇ    地表面
【図１】
2008271928.tif 000003
【図２】
2008271928.tif 000004
【図３】
2008271928.tif 000005
【図４】
2008271928.tif 000006
【図５】
2008271928.tif 000007
【図６】
2008271928.tif 000008
【図７】
2008271928.tif 000009
【図８】
2008271928.tif 000010
【図９】
2008271928.tif 000011
【図１０】
2008271928.tif 000012
【図１１】
2008271928.tif 000013
【図１２】
2008271928.tif 000014
【図１３】
2008271928.tif 000015